(57)【要約】  ＷＧＥＧ（廃ガスエネルギ発生器：waste gas energy generator）は電力生成システムを有し、これは排気／廃気供給デバイス、エネルギ抽出チャンバ、ＥＥＣ０１を含み、ＥＥＣ０１は暗面と、補助チャンバ０１０とを有し、補助チャンバ０１０は二酸化炭素及び酸性ガス除去並びに水素生成のための金属散布器と、そのアンモニア含有物を加熱するように伝熱させる熱交換器ＨＥ０１０とを備えている。電力生成システムは少なくとも１つのタービンシステムを含み、このタービンシステムはその出口端に散水供給器及び端部液体回収チャンバ又は分留システム、又はその端部にアンモニア二酸化炭素凝縮のための凝縮チャンバを有する。これは溶剤が二酸化炭素等を吸収するように用いられたデバイスを含み、その溶剤は清浄化処理において高温ガスにより加熱されてそれらのガスを前進させるように解放し、アルミニウム／金属スクリーンを通過した後、回転スクリーニングデバイスを備えたタービンシステムへ直接に向かう。
2005527724.tif 000002
【特許請求の範囲】
【請求項１】
高温工業排気／廃ガスを用いて冷媒をガス化して膨張させタービンを駆動するデバイスを有することを特徴とする電力生成システム。
【請求項２】
請求項１の電力生成システムに記載の方法において、タービンシステムの後の減圧システムを有することを特徴とする電力生成システム。
【請求項３】
請求項２の電力生成システムに記載の方法において、化学的沈殿ドラムを包含する減圧システムを有することを特徴とする電力生成システム。
【請求項４】
請求項３の電力生成システムに記載の方法において、金属及び水を反応物として用いる二酸化炭素及び酸性ガス除去デバイスを有することを特徴とする電力生成システム。
【請求項５】
請求項４の電力生成システムに記載の方法において、前記タービンの入口において金属スクラップを包含する回転デバイスを有することを特徴とする電力生成システム。
【請求項６】
請求項５の電力生成システムに記載の方法において、溶液から二酸化炭素を生成する高温ガス射出システムを有することを特徴とする電力生成システム。
【請求項７】
請求項６の電力生成システムに記載の方法において、熱交換器からでもストリームボイラーからでもない高温ガスを直接駆動力として用いるタービンシステムを有することを特徴とする電力生成システム。
【発明の詳細な説明】
【発明の詳細な説明】
【０００１】
本発明はＷＧＥＧ（廃ガスエネルギ発生器：waste gas energy generator）に関する。
【０００２】
火力発電所はＥｌニノ(El nino)及び循環問題に寄与するガス及び熱廃棄を被り、二酸化炭素及び他のガス放出の制御についての切迫した要請がある。１つの手法は熱及び汚染物質放出を有益な物質及びエネルギに変換することである。従って本発明は化石燃料プラントからの放出物を再使用する。
【０００３】
本発明によれば、排気／廃ガス供給源へ導管及び排気抽出デバイスにより接続された系（例えば、放出及び抽出制御デバイス、復水容器、及び排水系を備えた排気筒）が与えられる。排気／廃ガス供給源は、有機溶媒を用いて予備洗浄された排気／廃ガスにおける有機汚染物質を除去するように有機洗浄室へ接続され、次いでガスは可溶性無機物を除去するように水洗室を通過する。その間に、二酸化炭素は溶媒により吸収される。ここで清浄ガスは、暗面及び／又は温室カバー（ヘリオスタットにより供給されたエネルギを有する）を有するエネルギ抽出チャンバ（ＥＥＣ:energy extraction chamber）へ入り、このＥＥＣは、熱を受けた際に膨張するようにアンモニア／アンモニア流体を包含する熱交換内部ドラム（ＨＥ）を有する。溶媒から熱を受け取るアンモニア流体についての熱交換系もある。ＨＥへ到達する前に、清浄ガスは前述の溶媒から回復された二酸化炭素ガス及び酸性ガス廃棄物の流れ（例えば、高温ガスを第１溶媒へ直接に射出する制御デバイスを用い（加圧下）、その結果のガスを導管系を介して第２の溶媒へ向かわせ（加圧下）、金属スクラップ及び水を散布するデバイスを含む区画を通過しながら、溶融アルミニウムペレット／ナトリウム又はカルシウムペレットが制御された導入機構により湿ガスへ散布される。その結果のガス頭はここで保存ドラム（太陽エネルギ吸収デバイスを有し、且つ熱交換器ＨＥ）へ入る。加熱アンモニアガスは熱交換器を通過してタービン（Ｔ）へ入る。タービンを離れると、ガスは散布デバイスから散水された水に交わり、（特殊な導管及び溶液回収器を介して）ドラムへ向かいながら、ガスアンモニア物が前進して、導管により沈殿チャンバ（ＰＣ）１０＊ヘ供給された二酸化炭素ガスに交わり、部分的な真空／真空低減がもたらされる。
【０００４】
（代替的に、排気／廃ガスは洗浄室を離れて、コンテナ内の二酸化炭素吸収材（例えば、水酸化カルシウムを包含する）に交わり、ＨＥによる熱抽出の後、窒素抽出のために通過し、溶媒から離れた二酸化炭素は、例えば高温ガス射出デバイスを介して分離チャンバ内で、個別に再加熱／放出されて、上述の処理のためのガス頭となり、その結果、水素のみが抽出のために現れる）。
＊（代替的に、特にアンモニアガス供給のために液体アンモニアが使用されたときには、Ｔを離れるガスはガス圧縮チャンバへ引き込まれるので、Ｔへ吸引が与えられる。）
【０００５】
ＷＧＥＧの特定の実施形態について図面を参照して以下に例示する。図１はＥＥＣをその側面から見て且つ外壁を除去した透視図を示す。ＥＥＣ０１は、流体導管０１１によって遮蔽廃水／下水供給源へ接続された補助チャンバ０１０、その上部の金属ペレット散布システム０１２、排気ガスを内側へ供給する排気供給導管０４とを含み、その結果のガスは０４１にてＥＥＣ０１の次の部分へ入り、流体導管０３を通じて包囲体内のアルミニウムスクリーン（反応金属ペレットを包含する）を通り、区画上の流体導管に沿って移動してタービン（図示せず）へ向かうか、或いは熱交換システム（図示せず）へエネルギを供給する。（スクラップ金属パイルのような付加的な酸除去設計が選択的に存在する。その結果、ガスは例えば分留凝縮により冷却されて、圧縮窒素及び水素ガス又は混合体を生成し、圧縮抽出処理がタービンへの順方向抗力を形成する。
【０００６】
同様に図２は散布ドラムを示す。図１を参照すると、ＷＧＥＧは、排気／廃ガスが供給されるＥＥＣ０１、ＩＤ０２（導管、バルブなどを有する熱交換ドラムであり、Ｔへの流路連接部、タービンシステム（図示せず）を含む）。（図２も参照）。タービンは２つの部分を含み、その第１は出口端における水冷システムであり、また、拡散ドラム００へ導かれる輸送導管を有する液体回収器もあり、その結果の推進ガスは例えば高温ガス又はヘリオスタットにより再加熱され、出口端において冷却材により冷却された第２タービンシステムへ再び入る。その結果の流体は拡散ドラムへ入り、第１凝縮及び流体供給器（図示せず）から水と交わる。新たなアンモニア液体（調整デバイスによる凝縮調整後）が熱交換ドラムＩＤ０２へ運ばれる（補助チャンバ０１０内の流体導管０１３は、端部排気／排水流体を排出／再利用目的のために逃がすことを可能とする）。
【０００７】
注意：１．凝縮容器／排水システム０７２は排気筒内に存在する。（図３参照。この図３は排気筒の一部の垂直面透視図であり、対向する壁の図を除去してある）。
２．模式図の符号／図の説明：００１は図示しない供給源へ接続された流体拡散デバイス、０５，０６は流体バルブ、０７は排気筒の一部である。
３．ＥＥＣ０１からのガス頭は最終的にはＴへ直接に向かわせるために使用され、タービンシステムは、清浄化を促進するように設計された特殊な回転スクリーンを有し、Ｔへ入る前に微量の粉末を除去する。ガス頭は、ガス送入システムにより引き込まれた（予備清浄化された）高温ガス流と交わり、（清浄化目的のために流体流入及び排出設備を有する）鉄／金属捕捉器内に閉じ込められた古い金属パイルを有する回転デバイス０８へ入る。図４は回転デバイスの透明透視図であって、その内部包含物（例えば、回転パドル上に搭載された古い金属スクラップ）は図示せず、流体輸送導管０９へ接続されている。（金属スクラップのための装填及び装填解除デバイスは図示してない。）
４．図４はＰＣ１０の側面透視であり、凝結回収及び除去のための特殊な底部を有し、保守扉は図示してない。
【０００８】
操作
１．高温排気ガス／廃ガスが（例えば摂氏１２０度）で入口バルブ０４を介して補助チャンバ０１０へ引き込まれる。アルミニウムペレットは散布システム０１２を介して補助チャンバ０１０へ散布される。（アルミニウムペレットは、分配ディスク上の（熱供給パウダ／爆薬又は金属を包含する）弾丸状筒内に包含されて、補助チャンバ０１０へ制御された率で入るように速度制御される。床クッション機構は、ペレット／弾丸状筒がチャンバを損なわないようにする。排気／排気ガス供給の酸化湿性包含物と交わると、その温度は水素の解放により上昇する。その結果のガスはバルブ０３を通じて進み、（反応金属を閉じ込める）アルミニウムスクリーンのパネルは微量の酸化物を除去させる。（スクリーンは流体／粒子回収及び除去デバイスを有し、特に遮断処理に対処する）。（アルミニウムスクリーンは、例えば１つ又は複数の保守入口扉を含む保守デバイスにより、検査されて、且つ交換／修理される。水素及び窒素含有物を抽出する分留液化／圧縮処理のために冷却システムへ接続された金属スクラップパイル（その出口端に冷却システムを有し、且つ液体回収システムを有する）のような付加的なスクリーンを通過した後、推進ガスはＴ（図示せず）を通過する。
２．湿気及び汚染含有物を増大させるように、清浄化された排気／排水が導管０１１を介して補助チャンバ０１０へ引き込まれ、且つ（制御された率及び時間で）導管０１３を介して離れて、上述した到来する排気／排気ガス（予備的粒子除去処理により清浄化されている）に交わる。
３．ＩＤ０２内の流体含有物は気化して膨張する（例えばヘリオスタット点、即ち必要とあれば導管上の黒外面及び透明熱トラップを有する通路点更で更に加熱される）。Ｔの第１部分へ入ると、このガスは出口端にて水冷又は低温ガスにより冷却されて、液体回収器にて液体凝縮を沈殿させ、その後、拡散ドラム００へ向かい、一方、ガス包含物は前進を続ける。ガス包含物が（例えば高温ガス及びヘリオスタット技術）により再加熱され、第２のタービンシステムを通過して、冷却材により冷却されて、拡散ドラムの下方の液体凝縮に交わるように液体となる。代替的に、端部アンモニア液体はＰＣ１０へ入り、二酸化炭素に交わり、更なる吸引圧力がもたらされる。
【０００９】
注意  ２つの並行液体推進システムについて説明した。液圧の制御も複数のバルブ／スロットによりなされる。存在する全ての必要な圧送制御、補助的な流路及び抽出デバイスは図示していない。
【図１】
2005527724.tif 000003
【図２】
2005527724.tif 000004
【図３】
2005527724.tif 000005
【図４】
2005527724.tif 000006
【図５】
2005527724.tif 000007
【国際調査報告】
2005527724.tif 000008
2005527724.tif 000009